(57)【要約】【課題】インラインセンサを備える画像形成装置でカラー印刷を行う場合において、カラーパッチ数を削減しつつ、適正な色管理を行う。【解決手段】色情報を測定するインラインセンサを備える画像形成装置を制御する制御装置であって、ジョブの所定のページの画像に含まれる色情報を抽出し、前記ジョブの色管理に必要な色情報が不足しているかを判断するデータ解析部と、前記不足している色情報に対応するカラーパッチを生成し、生成したカラーパッチを前記所定のページに配置するカラーパッチ生成部と、前記カラーパッチを配置した前記所定のページの画像データを前記画像形成装置に送信して、印刷及び色情報の測定を指示する制御部と、を備える。【選択図】図１
2014136349.tif 000002
【特許請求の範囲】
【請求項１】
色情報を測定するインラインセンサを備える画像形成装置を制御する制御装置であって、
ジョブの所定のページの画像に含まれる色情報を抽出し、前記ジョブの色管理に必要な色情報が不足しているかを判断するデータ解析部と、
前記不足している色情報に対応するカラーパッチを生成し、生成したカラーパッチを前記所定のページに配置するカラーパッチ生成部と、
前記カラーパッチを配置した前記所定のページの画像データを前記画像形成装置に送信して、印刷及び色情報の測定を指示する制御部と、を備える、
ことを特徴とする制御装置。
【請求項２】
前記データ解析部は、前記ジョブのいずれかのページの画像に含まれ、かつ、前記所定のページの画像に含まれない色情報を、前記不足している色情報と判断する、
ことを特徴とする請求項１に記載の制御装置。
【請求項３】
前記カラーパッチ生成部は、前記生成したカラーパッチの全てを前記所定のページに配置できない場合は、配置できなかったカラーパッチを前記所定のページの次のページに配置する、
ことを特徴とする請求項１又は２に記載の制御装置。
【請求項４】
前記画像データに基づいて印刷された前記所定のページの画像及び前記カラーパッチの色情報を前記インラインセンサが測定した結果を取得し、前記データ解析部が前記所定のページから抽出した色情報と前記インラインセンサが測定した色情報とを比較し、双方の色情報の差分が予め定めた閾値を超えている場合に、前記制御装置に設定している色情報を変更する設定情報解析部、を更に備える、
ことを特徴とする請求項１乃至３のいずれか一に記載の制御装置。
【請求項５】
色情報を測定するインラインセンサを備える画像形成装置を制御する制御装置で動作する制御プログラムであって、
前記制御装置に、
ジョブの所定のページの画像に含まれる色情報を抽出し、前記ジョブの色管理に必要な色情報が不足しているかを判断する第１処理、
前記不足している色情報に対応するカラーパッチを生成し、生成したカラーパッチを前記所定のページに配置する第２処理、
前記カラーパッチを配置した前記所定のページの画像データを前記画像形成装置に送信して、印刷及び色情報の測定を指示する第３処理、を実行させる、
ことを特徴とする制御プログラム。
【請求項６】
前記第１処理では、前記ジョブのいずれかのページの画像に含まれ、かつ、前記所定のページの画像に含まれない色情報を、前記不足している色情報と判断する、
ことを特徴とする請求項５に記載の制御プログラム。
【請求項７】
前記第２処理では、前記生成したカラーパッチの全てを前記所定のページに配置できない場合は、配置できなかったカラーパッチを前記所定のページの次のページに配置する、
ことを特徴とする請求項５又は６に記載の制御プログラム。
【請求項８】
前記制御装置に、
前記画像データに基づいて印刷された前記所定のページの画像及び前記カラーパッチの色情報を前記インラインセンサが測定した結果を取得し、前記第１処理で前記所定のページから抽出した色情報と前記インラインセンサが測定した色情報とを比較し、双方の色情報の差分が予め定めた閾値を超えている場合に、前記制御装置に設定している色情報を変更する第４処理、を更に実行させる、
ことを特徴とする請求項５乃至７のいずれか一に記載の制御プログラム。
【発明の詳細な説明】
【技術分野】
【０００１】
本発明は、制御装置及び制御プログラムに関し、特に、インラインセンサを搭載した画像形成装置を制御する制御装置及び当該制御装置で動作する制御プログラムに関する。
【背景技術】
【０００２】
カラー印刷機能を備えた複写機や複合機（ＭＦＰ：Multi Function Peripheral）などの画像形成装置が普及している。この画像形成装置を用いてカラー印刷を行う場合、ジョブの各ページに含まれる色を正確に再現するための色管理が重要である。そこで、従来は、印刷物の端部に配置したカラーパッチを画像形成装置に設けたインラインセンサで測定し、画像形成装置を制御するコントローラは、ジョブから抽出した色情報とインラインセンサで読み取った色情報を比較して色の変化量を求め、色の変化量が適正な範囲に収まるように随時フィードバックを行ってきた。
【０００３】
このようなフィードバック制御に関して、例えば、下記特許文献１には、定着後の画像濃度を検出するよう配置されたカラー濃度センサを有し、該カラー濃度センサによる測定結果と該測定対象画像の書き込みデータとの差を小さくするようにフィードバック制御を行う、複数色のトナー像を転写紙上に重ねてフルカラー画像を形成する電子写真方式のカラー画像形成装置において、定着後の画像位置情報と定着前の書き込み画像の位置情報との関係から定着時の画像の縮み量を算出し、該算出結果に基づいて、前記定着後の画像濃度を検出する為の測定対象画像の定着後位置を演算し、該演算結果に基づいて測定対象画像の画像濃度を検出するよう構成したカラー画像形成装置が開示されている。
【先行技術文献】
【特許文献】
【０００４】
【特許文献１】特開２００５−１８１６７３号公報
【発明の概要】
【発明が解決しようとする課題】
【０００５】
ジョブのデータをラスタライズしてページ毎の画像データを生成するＲＩＰ（Raster Image Processor）処理は年々高機能化が進められており、特にカラー印刷においては、オブジェクトの種別毎や色空間毎にトーンカーブやカラープロファイルを設定して色管理を行うといった高度な設定が可能となっている。
【０００６】
しかしながら、オブジェクト種別毎や色空間毎にフィードバック制御を行うためには、オブジェクト種別毎、色空間毎の多数のカラーパッチを印刷物の端部に配置する必要があり、多数のカラーパッチを配置するスペースを確保するのは困難である。また、スペースを小さくするために色を制限すると、印刷物に多く含まれる色のカラーパッチを配置することができず、適正な色管理ができない場合が生じる。
【０００７】
本発明は、上記問題点に鑑みてなされたものであって、その主たる目的は、インラインセンサを備える画像形成装置でカラー印刷を行う場合において、カラーパッチ数を削減しつつ、適正な色管理を行うことができる制御装置及び制御プログラムを提供することにある。
【課題を解決するための手段】
【０００８】
本発明の一側面は、色情報を測定するインラインセンサを備える画像形成装置を制御する制御装置であって、ジョブの所定のページの画像に含まれる色情報を抽出し、前記ジョブの色管理に必要な色情報が不足しているかを判断するデータ解析部と、前記不足している色情報に対応するカラーパッチを生成し、生成したカラーパッチを前記所定のページに配置するカラーパッチ生成部と、前記カラーパッチを配置した前記所定のページの画像データを前記画像形成装置に送信して、印刷及び色情報の測定を指示する制御部と、を備えることを特徴とする。
【０００９】
本発明の一側面は、色情報を測定するインラインセンサを備える画像形成装置を制御する制御装置で動作する制御プログラムであって、前記制御装置に、ジョブの所定のページの画像に含まれる色情報を抽出し、前記ジョブの色管理に必要な色情報が不足しているかを判断する第１処理、前記不足している色情報に対応するカラーパッチを生成し、生成したカラーパッチを前記所定のページに配置する第２処理、前記カラーパッチを配置した前記所定のページの画像データを前記画像形成装置に送信して、印刷及び色情報の測定を指示する第３処理、を実行させることを特徴とする。
【発明の効果】
【００１０】
本発明の制御装置及び制御プログラムによれば、インラインセンサを備える画像形成装置でカラー印刷を行う場合において、カラーパッチ数を削減しつつ、適正な色管理を行うことができる。
【００１１】
その理由は、制御装置（制御プログラム）では、オブジェクト種別毎、色空間毎の全て色情報に対応するカラーパッチを配置するのではなく、色管理に必要十分なカラーパッチのみ（ジョブのいずれかのページの画像に含まれ、かつ、そのページの画像に含まれていない色情報のカラーパッチのみ）を配置する制御を行うからである。
【図面の簡単な説明】
【００１２】
【図１】本発明の一実施例に係る印刷システムの構成及び概略動作を示す図である。
【図２】本発明の一実施例に係るカラーパッチの構成例を示す図である。
【図３】本発明の一実施例に係る印刷システムの構成を示すブロック図である。
【図４】本発明の一実施例に係る制御装置の処理（カラーパッチの配置処理）を示すフローチャート図である。
【図５】本発明の一実施例に係る画像形成装置の処理（色情報の測定処理）を示すフローチャート図である。
【図６】本発明の一実施例に係る制御装置の処理（設定情報の書き換え処理）を示すフローチャート図である。を示すフローチャート図である。
【発明を実施するための形態】
【００１３】
背景技術で示したように、インラインセンサを搭載した画像形成装置を含む印刷システムにおいて、オブジェクト種別毎や色空間毎にトーンカーブやカラープロファイルを設定して高度な色管理を行う場合、色管理に必要なカラーパッチの数が膨大になり、カラーパッチを配置するスペースが足りなくなるという問題があった。また、色を制限すると、印刷物に多く含まれる色のカラーパッチを配置することができず、適正な色管理ができない場合が生じるという問題があった。
【００１４】
そこで、本発明の一実施の形態では、オブジェクト種別毎、色空間毎の全ての色情報に対応するカラーパッチを配置するのではなく、適正な色管理に必要十分なカラーパッチのみを配置するようにする。具体的には、各ページに対して、ジョブのいずれかのページの画像に含まれており、かつ、そのページの画像に含まれていない色情報のカラーパッチのみを配置する。
【００１５】
これにより、印刷物の端部に配置するカラーパッチを最小限に留め、オブジェクトの種別毎や色空間毎にトーンカーブやプロファイルを設定するといった高度な設定が可能となり、適正な色管理を行うことができる。
【実施例】
【００１６】
上記した本発明の実施の形態についてさらに詳細に説明すべく、本発明の一実施例に係る制御装置及び制御プログラムについて、図１乃至図６を参照して説明する。図１は、本実施例の印刷システムの構成及び概略動作を示す図であり、図２は、本実施例のカラーパッチの構成例を示す図である。また、図３は、本実施例の印刷システムの構成を示すブロック図であり、図４乃至図６は、本実施例の印刷システムの各装置の処理を示すフローチャート図である。
【００１７】
図１に示すように、本実施例の印刷システム１０は、カラー印刷が可能なＭＦＰなどの画像形成装置（エンジン）２０と、画像形成装置２０を制御する制御装置（コントローラ）３０とで構成される。なお、本実施例では、画像形成装置（エンジン）２０と制御装置（コントローラ）３０とを別々の装置としているが、これらは一体的に構成されていてもよい。以下、印刷システム１０の概略動作について説明する。
【００１８】
まず、制御装置３０は、オブジェクト種別（例えば、Image／Graphic／Text）毎、色空間（例えば、CMYK／RGB／Gray）毎に、トーンカーブ、カラープロファイル等を設定する（［１］参照）。次に、ジョブの各ページの画像データ内で使用されている各オブジェクトと各色空間の色情報と座標情報を抽出する（［２］参照）。次に、［１］で設定した情報と［２］で抽出した情報に基づき、各ページの画像の周囲等に、そのページに不足している色情報のカラーパッチを配置する。
【００１９】
例えば、図２に示すように、あるページ（図の右端のページ）の画像データがCMYKのTextのみで構成されており、CMYKのGraphicとImageがない場合は、CMYKのGraphicに対応するカラーパッチとCMYKのImageに対応するカラーパッチと（必要に応じてRGB／Grayのカラーパッチと）をそのページの画像の周囲（ここでは用紙の右側端部及び下側端部）に配置する。そして、カラーパッチ付きの画像データを画像形成装置２０に転送する（［３］参照）。
【００２０】
画像形成装置２０は、制御装置３０から取得したカラーパッチ付きの画像データに基づいて印刷／定着を行う（［４］参照）。そして、定着後の印刷物に対して、インラインセンサを用いて色値を測定し、測定情報を制御装置３０にフィードバックする（［５］参照）。なお、インラインセンサで測定する個所は、そのページに印刷された画像中の［２］で抽出したオブジェクトの座標情報で特定される部分、及び［３］で画像の周囲等に配置したカラーパッチの部分である。
【００２１】
そして、制御装置３０は、画像形成装置２０からフィードバックされた測定情報に基づいて、色の変化量（そのページの画像データから抽出した色情報とそのページに印刷された画像及びカラーパッチを測定した色情報との差異）を取得し、色変化量が予め定めた閾値を超えている場合は、色変化量に応じて、［１］で設定したトーンカーブ・カラープロファイル等を書き換え、色再現の安定を図る（［６］参照）。
【００２２】
次に、上記制御を実現するための画像形成装置２０及び制御装置３０のハードウェア構成について、図３のブロック図を参照して説明する。
【００２３】
［画像形成装置］
画像形成装置（エンジン）２０は、ＣＰＵ（Central Processing Unit）２１とメモリ２２とＨＤＤ（Hard Disk Drive）２３と外部Ｉ／Ｆ２４と表示・操作部２５と印刷処理部２６とインラインセンサ２７と測定個所判定部２８などで構成される。
【００２４】
ＣＰＵ２１と、ＲＯＭ（Read Only Memory）やＲＡＭ（Random Access Memory）などのメモリ２２と、で制御部が構成される。ＲＯＭは、制御プログラムや制御に必要なデータ等を記憶する。ＲＡＭは、ＣＰＵ２１による制御に必要なデータ及び制御動作時に一時記憶が必要なデータ等を記憶する。そして、ＣＰＵ２１は、ＲＯＭ、ＲＡＭと協働して画像形成装置２０全体の動作を制御する。
【００２５】
ＨＤＤ２３は、制御装置３０から送信されるカラーパッチ付きの画像データや色値を測定する場所を示す測定位置情報などを記憶する。
【００２６】
外部Ｉ／Ｆ２４は、ＮＩＣ（Network Interface Card）やモデムなどで構成され、制御装置３０からカラーパッチ付きの画像データや測定位置情報などを受信すると共に、制御装置３０にインラインセンサ２７で色値を測定した測定情報などを送信する。
【００２７】
表示・操作部２５は、ＬＣＤ（Liquid Crystal Display）などの表示部上にタッチセンサ等の操作部を配置したタッチパネルなどで構成され、印刷に関する各種表示及び操作を可能にする。
【００２８】
印刷処理部２６は、制御装置３０から受信したカラーパッチ付きの画像データに基づき、電子写真プロセスに従って用紙に画像を形成する。具体的には、画像データに基づいてレーザ光を照射して露光する書き込みユニットと、感光体ドラムと現像装置と帯電装置と感光体クリーニング部と１次転写ローラとを備え、CMYKの各色のトナー像を形成する感光体ユニットと、ローラによって回転され、感光体ユニットで形成されたトナー像を用紙に搬送する中間転写体として機能する中間転写ベルトと、中間転写ベルト上に形成されたトナー像を用紙に転写する２次転写ローラと、用紙に転写されたトナー像を定着させる定着装置と、用紙を搬送する給紙ローラやレジストローラ、ループローラ、反転ローラ、排紙ローラ等の搬送部などで構成される。
【００２９】
インラインセンサ２７は、上記定着装置と排紙トレイとの間の用紙の搬送経路に設けられた、例えばRGBの３種類のセンサで構成され、カラー画像の各部に対する３種類のセンサからの出力値（RGB値）に基づいて色値を測定し、測定情報を出力する。
【００３０】
測定個所判定部２８は、制御装置３０から送信された測定位置情報に基づいて、色値を測定すべき個所を判定し、インラインセンサ２７に色値の測定を指示する。
【００３１】
［制御装置］
制御装置（コントローラ）３０は、ＣＰＵ３１とメモリ３２とＨＤＤ３３と外部Ｉ／Ｆ３４と表示・操作部３５とデータ処理部３６とデータ解析部３７とカラーパッチ生成部３８と測定情報解析部３９と色情報設定部４０などで構成される。
【００３２】
ＣＰＵ３１とＲＯＭやＲＡＭなどのメモリ３２とで制御部が構成される。ＲＯＭは、制御プログラムや制御に必要なデータを記憶する。ＲＡＭは、ＣＰＵ３１による制御に必要なデータ及び制御動作時に一時記憶が必要なデータ等を記憶する。そして、ＣＰＵ３１は、ＲＯＭ、ＲＡＭと協働して制御装置３０全体の動作を制御する。
【００３３】
ＨＤＤ３３は、ジョブのデータや各ページの画像データ、各ページの画像データから抽出した色情報及び位置（座標）情報、カラーパッチ付きの画像データなどを記憶する。
【００３４】
外部Ｉ／Ｆ３４は、ＮＩＣやモデムなどで構成され、カラーパッチ付きの画像データと測定位置情報などを画像形成装置２０に送信すると共に、画像形成装置２０からインラインセンサ２７で測定した測定情報などを受信する。
【００３５】
表示・操作部３５は、ＬＣＤ等の表示部上にタッチセンサ等の操作部を配置したタッチパネルなどで構成され、印刷に関する各種表示及び操作を可能にする。
【００３６】
データ処理部３６は、ＨＤＤ３３に記憶されたジョブのデータ、若しくは通信ネットワークに接続されたクライアントから取得したジョブのデータを解析し、ラスタライズ処理を行って、各ページの画像データを生成する。
【００３７】
データ解析部３７は、各ページの画像データを解析し、ジョブの各ページに使用されている各オブジェクト（Image／Graphic／Text）、各色空間（CMYK／RGB／Gray）の色情報と位置（座標）情報とを抽出し、ジョブの色管理に必要な色情報が不足しているかを判断する。
【００３８】
カラーパッチ生成部３８は、各々のページに対して、不足している色情報に対応するカラーパッチを生成し、当該ページの所定の場所（そのページの画像の周囲等）に生成したカラーパッチを配置する。
【００３９】
測定情報解析部３９は、データ解析部３７が抽出した色情報と画像形成装置２０のインラインセンサ２７が測定した測定情報とを比較し、色の変化量が予め定めた閾値を超えているかを判断する。そして、色変化量が閾値を超えている場合は、色変化量に応じて色情報設定部４０の設定情報を書き換える。
【００４０】
色情報設定部４０は、オブジェクト種別毎、色空間毎にトーンカーブ・カラープロファイル等を設定する。
【００４１】
なお、図３では、データ処理部３６やデータ解析部３７、カラーパッチ生成部３８、測定情報解析部３９などをハードウェアとして構成したが、これらの機能は制御部で動作する制御プログラムによって実現してもよい。
【００４２】
以下、上記構成の印刷システム１０で実行される処理について説明する。まず、本実施例の制御装置３０におけるカラーパッチの配置処理について、図４のフローチャート図を参照して説明する。
【００４３】
制御装置３０の制御部は、オペレータからのジョブの出力指示を受け付けたら（Ｓ１０１）、データ処理部３６は、ジョブを解析してページ毎の画像データを生成する。そして、制御部は、オブジェクト種別毎や色空間毎にトーンカーブやカラープロファイル等のカラー関連の設定がされているか否かを判断する（Ｓ１０２）。オブジェクト種別毎や色空間毎にカラー関連の設定がされていない（従来通り、全て同様の設定がされている）場合は、カラーパッチ生成部３８は、全てのオブジェクト種別及び色空間の色情報に対応するカラーパッチを生成し、生成したカラーパッチをそのページの画像の周囲等に配置する（Ｓ１０８）。
【００４４】
一方、オブジェクト種別毎や色空間毎にカラー関連の設定がされている場合は、データ解析部３７は、ジョブ全体（全ページ）に含まれるオブジェクト種別情報と色空間情報を抽出し、そのジョブの色管理に必要な情報を特定する（Ｓ１０３）。例えば、ジョブにImageのオブジェクトが全く含まれていない場合は、Imageは色管理に不要な情報とする。また、ジョブにCMYKのImageのみが含まれている場合は、RGBやGrayのImageは色管理に不要な情報とする。
【００４５】
次に、データ解析部３７は、対象となるページの画像データに使用されている各オブジェクトと各色空間の色情報と位置（座標）情報を抽出する（Ｓ１０４）。抽出した情報は、後で測定情報がフィードバックされた時に比較できるようにするために、ＨＤＤ３３等に保持しておく。
【００４６】
次に、データ解析部３７は、そのページの画像にジョブの色管理に必要な情報が全て揃っているか（Ｓ１０３でジョブ全体（全ページ）から抽出した色情報がそのページの画像に含まれているか）を確認する（Ｓ１０５）。色管理に必要な情報が全て揃っている場合は、新規にカラーパッチを配置する必要が無いため、Ｓ１１１にスキップする。
【００４７】
色管理に必要な情報が不足している場合は、データ解析部３７は、不足している情報（Ｓ１０３でジョブ全体（全ページ）から抽出した色情報の内、そのページの画像に含まれていない色情報）を抽出する（Ｓ１０６）。そして、カラーパッチ生成部３８は、不足している色情報に対応するカラーパッチを生成し、生成したカラーパッチをそのページの画像の周囲等に配置する（Ｓ１０７）。例えば、CMYKのImageとGraphicの情報が不足している場合は、CMYKのImage及びGraphicのカラーパッチのみを配置する。
【００４８】
次に、データ解析部３７は、１ページ内に、不足している情報に対応するカラーパッチが全て配置されたかを確認し（Ｓ１０９）、スペースが足りずに配置できなかったカラーパッチがある場合は、配置できなかったカラーパッチの情報をＨＤＤ３３等に記憶しておき、例えば、次ページのカラーパッチ配置時にそのカラーパッチを配置する（Ｓ１１０）。
【００４９】
Ｓ１０８において全てのオブジェクト種別、色空間の色情報に対応するカラーパッチを画像の周囲等に配置した後、若しくは、Ｓ１０９において１ページ内（若しくはそのページと次ページ）に不足している情報に対応するカラーパッチが全て配置されたことを確認した後、制御部は、画像形成装置２０にカラーパッチ付きの画像データを送信する。そして、データ解析部３７は、最終ページかを判断し（Ｓ１１２）、最終ページでなければＳ１０４に戻って、次のページに対して同様の処理を繰り返す。
【００５０】
次に、本実施例の画像形成装置２０における色情報の測定処理について、図５のフローチャート図を参照して説明する。
【００５１】
まず、画像形成装置２０の制御部は、制御装置３０からカラーパッチ付きの画像データを受信し、ジョブの出力指示を受け付けたら（Ｓ２０１）、制御装置３０から各ページの測定位置情報を受信する（Ｓ２０２）。
【００５２】
次に、印刷処理部２６は、カラーパッチ付きの画像データに基づいて、用紙にページの画像及びカラーパッチを印刷する。そして、測定個所判定部２８は、そのページの測定位置情報に従って測定個所を判定し、インラインセンサ２７にその測定個所の色値を測定させ（Ｓ２０３）、測定情報を制御装置３０にフィードバックする（Ｓ２０４）。
【００５３】
そして、制御部は、ジョブの最終ページかを判断し（Ｓ２０５）、最終ページでなければ、Ｓ２０２に戻って、次のページに対して同様の処理を繰り返す。
【００５４】
次に、本実施例の制御装置３０における設定情報の書き換え処理について、図６のフローチャート図を参照して説明する。
【００５５】
まず、制御装置３０の測定情報解析部３９は、画像形成装置２０からインラインセンサ２７の測定情報を受信する（Ｓ３０１）。次に、前記した図４のＳ１０４でＨＤＤ３３等に保存した色情報及び位置情報と、Ｓ３０１で画像形成装置２０から受信した測定情報とを比較する（Ｓ３０２）。
【００５６】
そして、測定情報解析部３９は、ＨＤＤ３３等に保存した情報と画像形成装置２０から受信した測定情報との差異（画像データから抽出した色情報とインラインセンサ２７で測定した色情報との差異）が予め定めた閾値を超えているかを判定し（Ｓ３０３）、閾値を超えている場合は、測定情報に応じて、色情報設定部４０に保存しているトーンカーブやカラープロファイル等の設定情報を書き換える（Ｓ３０４）。その後、測定情報解析部３９は、最終ページかを判断し（Ｓ３０５）、最終ページでなければＳ３０１に戻って、次のページに対して同様の処理を繰り返す。
【００５７】
このように、本実施例では、各ページの画像の周囲にオブジェクト種別毎、色空間毎の全てのカラーパッチを配置するのではなく、各ページに含まれるオブジェクト種別、色空間の色情報を判別し、ジョブの色管理に必要な色情報の内、各ページの画像に含まれていないオブジェクト種別、色空間の色情報に対応するカラーパッチのみを配置するため、スペースの不足により色管理に必要な色情報のカラーパッチが配置できないといった不都合を未然に防止することができ、高度な色管理を行うことができる。
【００５８】
なお、本発明は上記実施例に限定されるものではなく、本発明の趣旨を逸脱しない限りにおいて、印刷システム１０の構成や制御装置３０の制御等は適宜変更可能である。
【００５９】
例えば、上記実施例では、画像形成装置２０の内部に設けたインラインセンサ２７を用いて各用紙に印刷したカラーパッチを読み取る構成としたが、カラーパッチを読み取るセンサは必ずしも画像形成装置２０の内部に配置されている必要はなく、例えば、印刷システム１０に測色計を配置し、用紙に印刷されたカラーパッチを測色計で読み取って、その結果を制御装置３０にフィードバックするようにしてもよい。
【００６０】
また、上記実施例では、定着後の画像（用紙に印刷された画像）をインラインセンサ２７で読み取る場合について記載したが、用紙に転写される前の画像（転写ベルト上の画像）をインラインセンサ２７で読み取る場合に対しても同様に適用することができる。
【産業上の利用可能性】
【００６１】
本発明は、画像形成装置、特にインラインセンサを搭載した画像形成装置を制御する制御装置及び当該制御装置で動作する制御プログラムに利用可能である。
【符号の説明】
【００６２】
１０  印刷システム
２０  画像形成装置
２１  ＣＰＵ
２２  メモリ
２３  ＨＤＤ
２４  外部Ｉ／Ｆ
２５  表示・操作部
２６  印刷処理部
２７  インラインセンサ
２８  測定個所判定部
３０  制御装置
３１  ＣＰＵ
３２  メモリ
３３  ＨＤＤ
３４  外部Ｉ／Ｆ
３５  表示・操作部
３６  データ処理部
３７  データ解析部
３８  カラーパッチ生成部
３９  測定情報解析部
４０  色情報設定部
【図１】
2014136349.tif 000003
【図２】
2014136349.tif 000004
【図３】
2014136349.tif 000005
【図４】
2014136349.tif 000006
【図５】
2014136349.tif 000007
【図６】
2014136349.tif 000008